(57)【要約】【課題】印刷不良の発生原因を容易に判断することのできる画像形成装置、媒体、検査システムおよび検査プログラムを提供する。【解決手段】検査印刷の指示を受け付けると、各色のパターン画像およびチェックシートを印刷する。そして、チェックシートのプロセス部品の領域に印刷されている当該プロセス部品の一定周期から生成したスケールをプロセス方向に沿ってパターン画像上に現れた印刷不良のピッチに合わせ、スケールと印刷不良のピッチとが一致した場合は、当該プロセス部品が印刷不良の原因であると特定する。また、スケールと印刷不良のピッチとが一致しない場合は、他のプロセス部品のスケールを印刷不良のピッチに合わせていき、印刷不良の原因を特定していく。【選択図】図１
2008087215.tif 000002
【特許請求の範囲】
【請求項１】
前記印刷不良の原因を特定するための検査対象を検査するための検査データを保存する検査データ保存手段と、
前記検査データ保存手段に保存している検査データを媒体に形成する画像形成手段と
を具備することを特徴とする画像形成装置。
【請求項２】
印刷不良の原因を特定するための検査対象となる検査対象データを保存する検査対象データ保存手段
を更に具備し、
前記画像形成手段は、
前記検査対象データ保存手段に保存している検査対象データを前記媒体に形成する
ことを特徴とする請求項１記載の画像形成装置。
【請求項３】
前記検査データは、
前記印刷不良を引き起こす原因となる不良部品を特定するための原因特定基準と、
前記不良部品であると特定する部品に関する情報と
を含む
ことを特徴とする請求項１記載の画像形成装置。
【請求項４】
前記原因特定基準は、
前記不良部品の影響による前記印刷不良の発生周期である
ことを特徴とする請求項３記載の画像形成装置。
【請求項５】
前記原因特定基準および前記情報が前記媒体に前記部品毎に設定された範囲内で形成され、
前記部品毎に設定された範囲の境界を示す情報が前記媒体に形成される
ことを特徴とする請求項３記載の画像形成装置。
【請求項６】
前記検査対象データは、
前記媒体の形成可能範囲にべた塗りする１つの色から成るパターン画像であり、
前記検査対象データ保存手段は、
少なくとも１つの色の前記パターン画像を保存する
ことを特徴とする請求項２記載の画像形成装置。
【請求項７】
印刷不良を引き起こす原因となる不良部品を特定するための原因特定基準が形成される範囲と、
前記不良部品であると特定する部品に関する情報が形成される範囲と
を具備することを特徴とする媒体。
【請求項８】
前記原因特定基準は、
前記不良部品の影響による前記印刷不良の発生周期である
ことを特徴とする請求項７記載の媒体。
【請求項９】
前記原因特定基準および前記情報が前記部品毎に設定された範囲内で形成され、
前記部品毎に設定された範囲の境界を示す情報が形成される
ことを特徴とする請求項７記載の媒体。
【請求項１０】
通信手段を介して接続する画像形成装置と、データ管理装置とを具備し、
前記データ管理装置は、
印刷不良の原因を特定するための検査対象を検査するための検査データを保存する検査データ保存手段
を具備し、
前記画像形成装置は、
前記データ管理装置から前記検査データを取得する検査データ取得手段と、
前記検査データ取得手段で取得した検査データを媒体に形成する画像形成手段と
を具備することを特徴とする検査システム。
【請求項１１】
前記画像形成装置は、
前記印刷不良の原因を特定するための検査対象となる検査対象データを保存する検査対象データ保存手段
を更に具備し、
前記画像形成手段は、
前記検査対象データ保存手段に保存している検査対象データを前記媒体に形成する
ことを特徴とする請求項１０記載の検査システム。
【請求項１２】
前記データ管理装置は、
前記印刷不良の原因を特定するための検査対象となる検査対象データを保存する検査対象データ保存手段
を更に具備し、
前記画像形成装置は、
前記データ管理装置から前記検査対象データを取得する検査対象データ取得手段
を更に具備し、
前記画像形成手段は、
前記検査対象データ取得手段で取得した検査対象データを前記媒体に形成する
ことを特徴とする請求項１０記載の検査システム。
【請求項１３】
前記検査データは、
前記印刷不良を引き起こす原因となる不良部品を特定するための原因特定基準と、
前記不良部品であると特定する部品に関する情報と
を含む
ことを特徴とする請求項１０記載の検査システム。
【請求項１４】
前記原因特定基準は、
前記不良部品の影響による前記印刷不良の発生周期である
ことを特徴とする請求項１３記載の検査システム。
【請求項１５】
前記原因特定基準および前記情報が前記媒体に前記部品毎に設定された範囲内で形成され、
前記部品毎に設定された範囲の境界を示す情報が前記媒体に形成される
ことを特徴とする請求項１３記載の検査システム。
【請求項１６】
前記検査対象データは、
前記媒体の形成可能範囲にべた塗りする１つの色から成るパターン画像であり、
前記検査対象データ保存手段は、
少なくとも１つの色の前記パターン画像を保存する
ことを特徴とする請求項１１または１２記載の検査システム。
【請求項１７】
通信手段を介して接続する画像形成装置と、データ管理装置と、該画像形成装置とは異なる他の画像形成装置とを具備し、
前記データ管理装置は、
印刷不良の原因を特定するための検査対象を検査するための検査データを保存する検査データ保存手段と、
前記検査データ保存手段に保存している検査データを前記他の画像形成装置に対して送信する送信手段と
を具備し、
前記画像形成装置は、
前記検査データの前記媒体への形成を前記データ管理装置に対して指示する指示手段
を具備し、
前記送信手段は、
前記画像形成装置から前記検査データの前記媒体への形成を指示された際に、前記検査データを前記他の画像形成装置に対して送信し、
前記他の画像形成装置は、
前記データ管理装置から受信した検査データを前記媒体に形成する
ことを特徴とする検査システム。
【請求項１８】
前記画像形成装置は、
前記印刷不良の原因を特定するための検査対象となる検査対象データを保存する検査対象データ保存手段
を更に具備し、
前記画像形成手段は、
前記検査対象データ保存手段に保存している検査対象データを前記媒体に形成する
ことを特徴とする請求項１７記載の検査システム。
【請求項１９】
前記データ管理装置は、
前記印刷不良の原因を特定するための検査対象となる検査対象データを保存する検査対象データ保存手段
を更に具備し、
前記画像形成装置は、
前記データ管理装置から前記検査対象データを取得する検査対象データ取得手段
を更に具備し、
前記画像形成手段は、
前記検査対象データ取得手段で取得した検査対象データを前記媒体に形成する
ことを特徴とする請求項１７記載の検査システム。
【請求項２０】
前記検査データは、
前記印刷不良を引き起こす原因となる不良部品を特定するための原因特定基準と、
前記不良部品であると特定する部品に関する情報と
を含む
ことを特徴とする請求項１７記載の検査システム。
【請求項２１】
前記原因特定基準は、
前記不良部品の影響による前記媒体上の前記印刷不良の発生周期である
ことを特徴とする請求項２０記載の検査システム。
【請求項２２】
前記原因特定基準および前記情報が前記媒体に前記部品毎に設定された範囲内で形成され、
前記部品毎に設定された範囲の境界を示す情報が前記媒体に形成される
ことを特徴とする請求項２０記載の検査システム。
【請求項２３】
前記検査対象データは、
前記媒体の形成可能範囲にべた塗りする１つの色から成るパターン画像であり、
前記検査対象データ保存手段は、
少なくとも１つの色の前記パターン画像を保存する
ことを特徴とする請求項１８または１９記載の検査システム。
【請求項２４】
通信手段を介して接続する画像形成装置と、データ管理装置とを具備し、
前記データ管理装置は、
印刷不良の原因を特定するための検査対象となる検査対象データを保存する検査対象データ保存手段
を具備し、
前記画像形成装置は、
前記印刷不良の原因を特定するための検査対象を検査するための検査データを保存する検査データ保存手段と、
前記データ管理装置から前記検査対象データを取得する検査対象データ取得手段と、
前記検査データ保存手段に保存している検査データおよび前記検査対象データ取得手段で取得した検査対象データを媒体に形成する画像形成手段と
を具備することを特徴とする検査システム。
【請求項２５】
前記検査データは、
前記印刷不良を引き起こす原因となる不良部品を特定するための原因特定基準と、
前記不良部品であると特定する部品に関する情報と
を含む
ことを特徴とする請求項２４記載の検査システム。
【請求項２６】
前記原因特定基準は、
前記不良部品の影響による前記媒体上の前記印刷不良の発生周期である
ことを特徴とする請求項２５記載の検査システム。
【請求項２７】
前記原因特定基準および前記情報が前記媒体に前記部品毎に設定された範囲内で形成され、
前記部品毎に設定された範囲の境界を示す情報が前記媒体に形成される
ことを特徴とする請求項２５記載の検査システム。
【請求項２８】
前記検査対象データは、
前記媒体の形成可能範囲にべた塗りする１つの色から成るパターン画像であり、
前記検査対象データ保存手段は、
少なくとも１つの色の前記パターン画像を保存する
ことを特徴とする請求項２４記載の検査システム。
【請求項２９】
前記印刷不良の原因を特定するための検査対象を検査するための検査データを媒体に形成する検査データ画像形成処理
を画像形成装置に動作させることを特徴とする検査プログラム。
【請求項３０】
印刷不良の原因を特定するための検査対象となる検査対象データを前記媒体に形成する検査対象データ画像形成処理
を画像形成装置に動作させることを特徴とする請求項２９記載の検査プログラム。
【請求項３１】
前記検査データは、
前記印刷不良を引き起こす原因となる不良部品を特定するための原因特定基準と、
前記不良部品であると特定する部品に関する情報と
を含む
ことを特徴とする請求項２９記載の検査プログラム。
【請求項３２】
前記原因特定基準は、
前記不良部品の影響による前記媒体上の前記印刷不良の発生周期である
ことを特徴とする請求項３１記載の検査プログラム。
【請求項３３】
前記原因特定基準および前記情報が前記媒体に前記部品毎に設定された範囲内で形成され、
前記部品毎に設定された範囲の境界を示す情報が前記媒体に形成される
ことを特徴とする請求項３１記載の検査プログラム。
【請求項３４】
前記検査対象データは、
前記媒体の形成可能範囲にべた塗りする１つの色から成るパターン画像であり、
前記検査対象データとして少なくとも１つの色の前記パターン画像を保存する
ことを特徴とする請求項３０記載の検査プログラム。
【発明の詳細な説明】
【技術分野】
【０００１】
本発明は、画像形成装置、媒体、検査システムおよび検査プログラムに関する。
【背景技術】
【０００２】
従来、プリンタ等の画像形成装置に印刷不良が発生した際に、印刷不良の発生原因を特定するために種々の技術が提案されている。
【０００３】
例えば、プリンタ（プリンタ内部のステータス情報等）の履歴を文字情報で印刷することで、故障部位を特定可能にするプリンタがある（例えば、特許文献１参照。）。
【特許文献１】特開平９−１３１９０８号公報
【発明の開示】
【発明が解決しようとする課題】
【０００４】
本発明は、印刷不良の発生原因を容易に判断することのできる画像形成装置、媒体、検査システムおよび検査プログラムを提供することを目的とする。
【課題を解決するための手段】
【０００５】
上記目的を達成するため、請求項１の発明は、前記印刷不良の原因を特定するための検査対象を検査するための検査データを保存する検査データ保存手段と、前記検査データ保存手段に保存している検査データを媒体に形成する画像形成手段とを具備することを特徴とする。
【０００６】
また、請求項２の発明は、請求項１の発明において、印刷不良の原因を特定するための検査対象となる検査対象データを保存する検査対象データ保存手段を更に具備し、前記画像形成手段は、前記検査対象データ保存手段に保存している検査対象データを前記媒体に形成することを特徴とする。
【０００７】
また、請求項３の発明は、請求項１の発明において、前記検査データは、前記印刷不良を引き起こす原因となる不良部品を特定するための原因特定基準と、前記不良部品であると特定する部品に関する情報とを含むことを特徴とする。
【０００８】
また、請求項４の発明は、請求項３の発明において、前記原因特定基準は、前記不良部品の影響による前記印刷不良の発生周期であることを特徴とする。
【０００９】
また、請求項５の発明は、請求項３の発明において、前記原因特定基準および前記情報が前記媒体に前記部品毎に設定された範囲内で形成され、前記部品毎に設定された範囲の境界を示す情報が前記媒体に形成されることを特徴とする。
【００１０】
また、請求項６の発明は、請求項２の発明において、前記検査対象データは、前記媒体の形成可能範囲にべた塗りする１つの色から成るパターン画像であり、前記検査対象データ保存手段は、少なくとも１つの色の前記パターン画像を保存することを特徴とする。
【００１１】
また、請求項７の発明は、印刷不良を引き起こす原因となる不良部品を特定するための原因特定基準が形成される範囲と、前記不良部品であると特定する部品に関する情報が形成される範囲とを具備することを特徴とする。
【００１２】
また、請求項８の発明は、請求項７の発明において、前記原因特定基準は、前記不良部品の影響による前記印刷不良の発生周期であることを特徴とする。
【００１３】
また、請求項９の発明は、請求項７の発明において、前記原因特定基準および前記情報が前記部品毎に設定された範囲内で形成され、前記部品毎に設定された範囲の境界を示す情報が形成されることを特徴とする。
【００１４】
また、請求項１０の発明は、通信手段を介して接続する画像形成装置と、データ管理装置とを具備し、前記データ管理装置は、印刷不良の原因を特定するための検査対象を検査するための検査データを保存する検査データ保存手段を具備し、前記画像形成装置は、前記データ管理装置から前記検査データを取得する検査データ取得手段と、前記検査データ取得手段で取得した検査データを媒体に形成する画像形成手段とを具備することを特徴とする。
【００１５】
また、請求項１１の発明は、請求項１０の発明において、前記画像形成装置は、前記印刷不良の原因を特定するための検査対象となる検査対象データを保存する検査対象データ保存手段を更に具備し、前記画像形成手段は、前記検査対象データ保存手段に保存している検査対象データを前記媒体に形成することを特徴とする。
【００１６】
また、請求項１２の発明は、請求項１０の発明において、前記データ管理装置は、前記印刷不良の原因を特定するための検査対象となる検査対象データを保存する検査対象データ保存手段を更に具備し、前記画像形成装置は、前記データ管理装置から前記検査対象データを取得する検査対象データ取得手段を更に具備し、前記画像形成手段は、前記検査対象データ取得手段で取得した検査対象データを前記媒体に形成することを特徴とする。
【００１７】
また、請求項１３の発明は、請求項１０の発明において、前記検査データは、前記印刷不良を引き起こす原因となる不良部品を特定するための原因特定基準と、前記不良部品であると特定する部品に関する情報とを含むことを特徴とする。
【００１８】
また、請求項１４の発明は、請求項１３の発明において、前記原因特定基準は、前記不良部品の影響による前記印刷不良の発生周期であることを特徴とする。
【００１９】
また、請求項１５の発明は、請求項１３の発明において、前記原因特定基準および前記情報が前記媒体に前記部品毎に設定された範囲内で形成され、前記部品毎に設定された範囲の境界を示す情報が前記媒体に形成されることを特徴とする。
【００２０】
また、請求項１６の発明は、請求項１１または請求項１２の発明において、前記検査対象データは、前記媒体の形成可能範囲にべた塗りする１つの色から成るパターン画像であり、前記検査対象データ保存手段は、少なくとも１つの色の前記パターン画像を保存することを特徴とする。
【００２１】
また、請求項１７の発明は、通信手段を介して接続する画像形成装置と、データ管理装置と、該画像形成装置とは異なる他の画像形成装置とを具備し、前記データ管理装置は、印刷不良の原因を特定するための検査対象を検査するための検査データを保存する検査データ保存手段と、前記検査データ保存手段に保存している検査データを前記他の画像形成装置に対して送信する送信手段とを具備し、前記画像形成装置は、前記検査データの前記媒体への形成を前記データ管理装置に対して指示する指示手段を具備し、前記送信手段は、前記画像形成装置から前記検査データの前記媒体への形成を指示された際に、前記検査データを前記他の画像形成装置に対して送信し、前記他の画像形成装置は、前記データ管理装置から受信した検査データを前記媒体に形成することを特徴とする。
【００２２】
また、請求項１８の発明は、請求項１７の発明において、前記画像形成装置は、前記印刷不良の原因を特定するための検査対象となる検査対象データを保存する検査対象データ保存手段を更に具備し、前記画像形成手段は、前記検査対象データ保存手段に保存している検査対象データを前記媒体に形成することを特徴とする。
【００２３】
また、請求項１９の発明は、請求項１７の発明において、前記データ管理装置は、前記印刷不良の原因を特定するための検査対象となる検査対象データを保存する検査対象データ保存手段を更に具備し、前記画像形成装置は、前記データ管理装置から前記検査対象データを取得する検査対象データ取得手段を更に具備し、前記画像形成手段は、前記検査対象データ取得手段で取得した検査対象データを前記媒体に形成することを特徴とする。
【００２４】
また、請求項２０の発明は、請求項１７の発明において、前記検査データは、前記印刷不良を引き起こす原因となる不良部品を特定するための原因特定基準と、前記不良部品であると特定する部品に関する情報とを含むことを特徴とする。
【００２５】
また、請求項２１の発明は、請求項２０の発明において、前記原因特定基準は、前記不良部品の影響による前記媒体上の前記印刷不良の発生周期であることを特徴とする。
【００２６】
また、請求項２２の発明は、請求項２０の発明において、前記原因特定基準および前記情報が前記媒体に前記部品毎に設定された範囲内で形成され、前記部品毎に設定された範囲の境界を示す情報が前記媒体に形成されることを特徴とする。
【００２７】
また、請求項２３の発明は、請求項１８または１９の発明において、前記検査対象データは、前記媒体の形成可能範囲にべた塗りする１つの色から成るパターン画像であり、前記検査対象データ保存手段は、少なくとも１つの色の前記パターン画像を保存することを特徴とする。
【００２８】
また、請求項２４の発明は、通信手段を介して接続する画像形成装置と、データ管理装置とを具備し、前記データ管理装置は、印刷不良の原因を特定するための検査対象となる検査対象データを保存する検査対象データ保存手段を具備し、前記画像形成装置は、前記印刷不良の原因を特定するための検査対象を検査するための検査データを保存する検査データ保存手段と、前記データ管理装置から前記検査対象データを取得する検査対象データ取得手段と、前記検査データ保存手段に保存している検査データおよび前記検査対象データ取得手段で取得した検査対象データを媒体に形成する画像形成手段とを具備することを特徴とする。
【００２９】
また、請求項２５の発明は、請求項２４の発明において、前記検査データは、前記印刷不良を引き起こす原因となる不良部品を特定するための原因特定基準と、前記不良部品であると特定する部品に関する情報とを含むことを特徴とする。
【００３０】
また、請求項２６の発明は、請求項２５の発明において、前記原因特定基準は、前記不良部品の影響による前記媒体上の前記印刷不良の発生周期であることを特徴とする。
【００３１】
また、請求項２７の発明は、請求項２５の発明において、前記原因特定基準および前記情報が前記媒体に前記部品毎に設定された範囲内で形成され、前記部品毎に設定された範囲の境界を示す情報が前記媒体に形成されることを特徴とする。
【００３２】
また、請求項２８の発明は、請求項２４の発明において、前記検査対象データは、前記媒体の形成可能範囲にべた塗りする１つの色から成るパターン画像であり、前記検査対象データ保存手段は、少なくとも１つの色の前記パターン画像を保存することを特徴とする。
【００３３】
また、請求項２９の発明は、前記印刷不良の原因を特定するための検査対象を検査するための検査データを媒体に形成する検査データ画像形成処理を画像形成装置に動作させることを特徴とする。
【００３４】
また、請求項３０の発明は、請求項２９の発明において、印刷不良の原因を特定するための検査対象となる検査対象データを前記媒体に形成する検査対象データ画像形成処理を画像形成装置に動作させることを特徴とする。
【００３５】
また、請求項３１の発明は、請求項２９の発明において、前記検査データは、前記印刷不良を引き起こす原因となる不良部品を特定するための原因特定基準と、前記不良部品であると特定する部品に関する情報とを含むことを特徴とする。
【００３６】
また、請求項３２の発明は、請求項３１の発明において、前記原因特定基準は、前記不良部品の影響による前記媒体上の前記印刷不良の発生周期であることを特徴とする。
【００３７】
また、請求項３３の発明は、請求項３１の発明において、前記原因特定基準および前記情報が前記媒体に前記部品毎に設定された範囲内で形成され、前記部品毎に設定された範囲の境界を示す情報が前記媒体に形成されることを特徴とする。
【００３８】
また、請求項３４の発明は、請求項３０の発明において、前記検査対象データは、前記媒体の形成可能範囲にべた塗りする１つの色から成るパターン画像であり、前記検査対象データとして少なくとも１つの色の前記パターン画像を保存することを特徴とする。
【発明の効果】
【００３９】
請求項１に記載の発明は、本構成を有しない場合に比較して、印刷不良の発生原因を容易に判断することが可能となる。
【００４０】
また、請求項２に記載の発明は、本構成を有しない場合に比較して、何時でも検査対象データを取得することが可能となる。
【００４１】
また、請求項３に記載の発明は、本構成を有しない場合に比較して、印刷不良の発生原因となっている部品を容易に判断することが可能となる。
【００４２】
また、請求項４に記載の発明は、本構成を有しない場合に比較して、印刷不良の発生原因となっているプロセス部品を容易に判断することが可能となる。
【００４３】
また、請求項５に記載の発明は、本構成を有しない場合に比較して、同一の用紙で複数の部品に対する検査を同時に行うことが可能となる。
【００４４】
また、請求項６に記載の発明は、本構成を有しない場合に比較して、各色の画像形成に属する部品に対する検査を行うことが可能となる。
【００４５】
また、請求項７に記載の発明は、本構成を有しない場合に比較して、印刷不良の発生原因を容易に判断することが可能となる。
【００４６】
また、請求項８に記載の発明は、本構成を有しない場合に比較して、印刷不良の発生原因となっているプロセス部品を容易に判断することが可能となる。
【００４７】
また、請求項９に記載の発明は、本構成を有しない場合に比較して、印刷不良の発生原因となっている部品を容易に判断することが可能となる。
【００４８】
また、請求項１０に記載の発明は、本構成を有しない場合に比較して、印刷不良の発生原因を容易に判断することが可能となる。
【００４９】
また、請求項１１に記載の発明は、本構成を有しない場合に比較して、何時でも検査データを取得することが可能となる。
【００５０】
また、請求項１２に記載の発明は、本構成を有しない場合に比較して、何時でも検査データを取得することが可能となる。
【００５１】
また、請求項１３に記載の発明は、本構成を有しない場合に比較して、印刷不良の発生原因となっている部品を容易に判断することが可能となる。
【００５２】
また、請求項１４に記載の発明は、本構成を有しない場合に比較して、印刷不良の発生原因となっているプロセス部品を容易に判断することが可能となる。
【００５３】
また、請求項１５に記載の発明は、本構成を有しない場合に比較して、同一の用紙で複数の部品に対する検査を同時に行うことが可能となる。
【００５４】
また、請求項１６に記載の発明は、本構成を有しない場合に比較して、各色の画像形成に属する部品に対する検査を行うことが可能となる。
【００５５】
また、請求項１７に記載の発明は、本構成を有しない場合に比較して、印刷不良の発生原因を容易に判断することが可能となる。
【００５６】
また、請求項１８に記載の発明は、本構成を有しない場合に比較して、何時でも検査対象データを取得することが可能となる。
【００５７】
また、請求項１９に記載の発明は、本構成を有しない場合に比較して、何時でも検査対象データを取得することが可能となる。
【００５８】
また、請求項２０に記載の発明は、本構成を有しない場合に比較して、印刷不良の発生原因となっている部品を容易に判断することが可能となる。
【００５９】
また、請求項２１に記載の発明は、本構成を有しない場合に比較して、印刷不良の発生原因となっているプロセス部品を容易に判断することが可能となる。
【００６０】
また、請求項２２に記載の発明は、本構成を有しない場合に比較して、同一の用紙で複数の部品に対する検査を同時に行うことが可能となる。
【００６１】
また、請求項２３に記載の発明は、本構成を有しない場合に比較して、各色の画像形成に属する部品に対する検査を行うことが可能となる。
【００６２】
また、請求項２４に記載の発明は、本構成を有しない場合に比較して、印刷不良の発生原因を容易に判断し、何時でも検査対象データを取得することが可能となる。
【００６３】
また、請求項２５に記載の発明は、本構成を有しない場合に比較して、印刷不良の発生原因となっている部品を容易に判断することが可能となる。
【００６４】
また、請求項２６に記載の発明は、本構成を有しない場合に比較して、印刷不良の発生原因となっているプロセス部品を容易に判断することが可能となる。
【００６５】
また、請求項２７に記載の発明は、本構成を有しない場合に比較して、同一の用紙で複数の部品に対する検査を同時に行うことが可能となる。
【００６６】
また、請求項２８に記載の発明は、本構成を有しない場合に比較して、各色の画像形成に属する部品に対する検査を行うことが可能となる。
【００６７】
また、請求項２９に記載の発明は、本構成を有しない場合に比較して、印刷不良の発生原因を容易に判断することが可能となる。
【００６８】
また、請求項３０に記載の発明は、本構成を有しない場合に比較して、何時でも検査対象データを取得することが可能となる。
【００６９】
また、請求項３１に記載の発明は、本構成を有しない場合に比較して、印刷不良の発生原因となっている部品を容易に判断することが可能となる。
【００７０】
また、請求項３２に記載の発明は、本構成を有しない場合に比較して、印刷不良の発生原因となっているプロセス部品を容易に判断することが可能となる。
【００７１】
また、請求項３３に記載の発明は、本構成を有しない場合に比較して、同一の用紙で複数の部品に対する検査を同時に行うことが可能となる。
【００７２】
また、請求項３４に記載の発明は、本構成を有しない場合に比較して、各色の画像形成に属する部品に対する検査を行うことが可能となる。
【発明を実施するための最良の形態】
【００７３】
以下、本発明に係る画像形成装置、媒体、検査システムおよび検査プログラムの実施の形態について添付図面を参照して詳細に説明する。
【実施例１】
【００７４】
図１は、実施例１の概要を説明するための図である。図１を参照して画像形成装置１の機能的な構成について説明する。
【００７５】
図１に示すように、画像形成装置１は、パターン画像保存部２、部品別検査データ保存部３、入力部４、検査印刷受付部５、検査印刷処理部６、画像形成部７を具備して構成される。
【００７６】
パターン画像保存部２は、印刷不良の原因を検査するための検査対象となる検査対象データを保存する。具体的には、イエロー、マゼンタ、シアン、ブラックの４色毎に用紙の印刷可能範囲にべた塗りするパターン画像（２０１〜２０４）を検査対象データとして保存する。なお、本願発明では、パターン画像に表れる印刷不良を明確にするため、各色のトナーの付着量を制限してパターン画像（即ち、濃度の低いパターン画像）を用紙に形成する。本実施例では、トナー、インク等の付着量を２０％（即ち、２０％程度の濃度）に制限したパターン画像８を用紙に形成するが、この２０％という値に限定する必要はない。
【００７７】
部品別検査データ保存部３は、パターン画像が形成された用紙を検査するための検査データを保持する。具体的には、感光体に静電潜像を作像するための現像ユニット、トランスユニット等のプロセス部品が動作不良等となった場合、感光体に作像された静電潜像にその動作不良による影響が現れるため、感光体から用紙に像を転写する際にその動作不良による影響が印刷不良（例えば、汚れ、しわ、傷等）となって現れる。更に、感光体は同速度で回転していることから、その印刷不良はプロセス方向に沿って一定周期で現れることになる。ただし、プロセス部品が感光体に作用するタイミングはプロセス部品毎に異なるため、この一定周期はプロセス部品によって微妙に異なる。従って、部品別検査データ保存部はプロセス部品毎に異なる一定周期を検査データとしてプロセス部品別に保存する。
【００７８】
入力部４は、ユーザが画像形成装置１に対する指示を入力するものである。具体的には、画像形成装置１に印刷不良が発生した際に、ユーザは画像形成装置１に対する発生原因を特定するための検査印刷の指示を入力部４を用いて入力する。なお、一般的には、マウス、ハードキー等のハードウェアで構成されるか、入力部４の機能を兼ね備えたタッチパネル方式の表示ディスプレイを採用したソフトウェアで構成される。
【００７９】
検査印刷受付部５は、入力部４によって入力された検査印刷の指示を受け付ける処理を行う。
【００８０】
検査印刷処理部６は、検査印刷受付部５で検査印刷の指示を受け付けると、パターン画像保存部２からイエロー濃度２０％のパターン画像２０１、マゼンタ濃度２０％のパターン画像２０２、シアン濃度２０％のパターン画像２０３およびブラック濃度２０％のパターン画像２０４を取り出して画像形成部７に渡し、部品別検査データ保存部３から部品毎の検査データを取り出し、取り出した検査データに基づいてチェックシートを生成し（なお、チェックシートの詳細については後述にて説明する）、生成したチェックシートを画像形成部７に渡す。
【００８１】
画像形成部７は、検査印刷処理部６から渡された各色毎のパターン画像およびチェックシートを用紙に形成する処理を行う。
【００８２】
そして、各画像が形成された用紙は画像形成装置１から出力（即ち、印刷）される。
【００８３】
なお、上述したパターン画像保存部２、部品別検査データ保存部３、検査印刷受付部５、検査印刷処理部６を機能として具備するプログラム（本発明に係る検査プログラムに相当）を汎用の画像形成装置１に組み込んだ構成を適用することも可能である。
【００８４】
なお、検査プログラムは、各種メモリや光ディスク等の記憶媒体に記憶して提供することが可能であり、通信回線を介して配信することも可能である。
【００８５】
次に、画像形成装置１が行う検査印刷について説明する。
【００８６】
図２は、画像形成装置１が行う検査印刷処理の流れを示すフローチャートである。
【００８７】
検査印刷受付部が検査印刷の指示を受け付けると（Ｓ２０１）、検査印刷処理部がパターン画像保存部からイエロー２０％のパターン画像を取り出し、画像形成部がイエロー２０％のパターン画像を用紙に形成し（Ｓ２０２）、検査印刷処理部がパターン画像保存部からマゼンタ２０％のパターン画像を取り出し、画像形成部がマゼンタ２０％のパターン画像を用紙に形成し（Ｓ２０３）、検査印刷処理部がパターン画像保存部からシアン２０％のパターン画像を取り出し、画像形成部がシアン２０％のパターン画像を用紙に形成し（Ｓ２０４）、検査印刷処理部がパターン画像保存部からブラック２０％のパターン画像を取り出し、画像形成部がブラック２０％のパターン画像を用紙に形成し（Ｓ２０５）、検査印刷処理部が部品別検査データ保存部から部品毎の検査データを取り出してチェックシートを生成し、画像形成部がチェックシートを用紙に形成し（Ｓ２０６）、検査印刷処理を終了する。
【００８８】
次に、パターン画像について説明する。
【００８９】
図３は、用紙に画像形成されたパターン画像８の一例を示す図である。
【００９０】
図３（ａ）は、印刷不良が発生していない場合のパターン画像８を示す。図に示すように、用紙の印刷可能範囲にパターン画像８が形成されている。
【００９１】
図３（ｂ）は、印刷不良９が発生している場合のパターン画像８を示す。図に示すように、印刷不良９がある一定の間隔でプロセス方向に沿ってパターン画像８上に現れる。これは、上述したようにプロセス部品の動作不良等による影響が一定周期の印刷不良９となって現れたことになる。本発明では、パターン画像８に表れる印刷不良９を明確にするために、濃度の低い（即ち、トナー、インク等の付着量を制限した）パターン画像８を用紙に形成するのは、濃度の高いパターン画像８を形成すると、印刷不良が不明りょうになる場合があるからである。
【００９２】
次に、チェックシート１０について説明する。
【００９３】
図４は、用紙に画像形成されたチェックシート１０の一部の一例を示す図である。
【００９４】
図４に示すように、チェックシート１０は、プロセス部品別に保存されている一定周期から生成した原因特定基準（以後、スケールと称する）１１を印刷するスケール印刷範囲１２と、スケール１１を用いた原因特定方法およびどの色のパターン画像にスケール１１を用いたのかをチェックするチェックリストを印刷する原因特定方法印刷範囲１３と、当該一定周期で印刷不良が現れる部品に関する情報（例えば、部品名等）を印刷する部品情報印刷範囲１４とから構成される。これらスケール印刷範囲１２、原因特定方法印刷範囲１３、部品情報印刷範囲１４から構成される領域はプロセス部品毎に印刷される。なお、スケール印刷範囲１２、原因特定方法印刷範囲１３、部品情報印刷範囲１４をプロセス部品単体毎に印刷する構成に限定する必要はなく、複数のプロセス部品の組み合わせ毎に印刷する構成も適用可能である。これは、検査データである一定周期がプロセス部品毎に異なるといっても、検査データの差異が微小な場合があるため、同様な検査データをもつプロセス部品の組み合わせに対応した１つのスケールを印刷することで、どのプロセス部品の組み合わせに印刷不良が発生しているのかを認識することができる。
【００９５】
図４に示す一例では、上半分の領域にスケール印刷範囲１２が配置され、下半分の領域に原因特定方法印刷範囲１３および部分情報印刷範囲１４が配置されている。なお、原因特定方法印刷範囲１３には「このスケールのピッチに合う縞や汚れはありますか？」という具体的な原因特定方法が印刷され、更に原因特定方法印刷範囲１３には各色（Ｙｅｌｌｏｗ、Ｍａｇｅｎｔａ、Ｃｙａｎ、Ｂｌａｃｋ）毎のチェックリストが印刷され、部品情報印刷範囲１４には「ＸＸＸ  Ｕｎｉｔ」という具体的な部品名が印刷されている。更に、上半分の領域と下半分の領域との境界には、境界を示す情報（以後、折り目ラインと称する）１５と折り目ライン１５上に折り方ガイド（谷折り）が印刷されている。
【００９６】
下半分の領域の下部には他のプロセス部品の領域が印刷されることになり、プロセス部品毎の領域の境界にも、折り目ライン１５と折り目ライン１５上に折り方ガイド（山折り）が印刷される。
【００９７】
図５は、用紙に画像形成されたチェックシート１０の全体の一例を示す図である。
【００９８】
図５に示す一例では、チェックシート１０には、「ＸＸＸ  Ｕｎｉｔ」の領域、「ＹＹＹ  Ｕｎｉｔ」の領域および「ＺＺＺ  Ｕｎｉｔ」の領域が印刷され、各プロセス部品の領域内の上半分の領域と下半分の領域との境界には谷折りを指示する折り目ラインが印刷され、各プロセス部品の領域の境界には山折りを指示する折り目ラインが印刷されている。この折り方ガイドに従ってチェックシート１０を折り目を入れると、図５に示すようにチェックシート１０を折りたたむことができる。
【００９９】
図６は、パターン画像８およびチェックシート１０を用いた原因特定の一例を示す図である。
【０１００】
図６（ａ）に示すように、ある色（ここではイエローとする）のパターン画像８上に印刷不良９がプロセス方向に沿って一定周期で現れたとする。
【０１０１】
そして、図６（ｂ）に示すように、このパターン画像８に図５に示すように折りたたんだチェックシート１０を合わせる。具体的には、チェックシート１０のプロセス部品（図５では「ＸＸＸ  Ｕｎｉｔ」）の領域（即ち、折りたたんだチェックシートの最上面）に印刷されている「ＸＸＸ  Ｕｎｉｔ」の一定周期から生成したスケール１１をプロセス方向に沿ってパターン画像８上に現れた印刷不良９のピッチに合わせる。
【０１０２】
ここで、図６（ｂ）に示すように、「ＸＸＸ  Ｕｎｉｔ」のスケール１１と印刷不良９のピッチとが一致した場合は、「ＸＸＸ  Ｕｎｉｔ」が印刷不良９の原因となるプロセス部品であると特定する。この際、「Ｙｅｌｌｏｗ」のチェックシートにチェックを入力することで、イエローの感光体に属する「ＸＸＸ  Ｕｎｉｔ」が印刷不良９の原因ということが更に明りょうになる。
【０１０３】
また、「ＸＸＸ  Ｕｎｉｔ」のスケール１１と印刷不良９のピッチとが一致しない場合は、「ＹＹＹ  Ｕｎｉｔ」のスケールを印刷不良９のピッチに合わせ、それでも一致しない場合は、「ＺＺＺ  Ｕｎｉｔ」のスケールを印刷不良９のピッチに合わせていき、印刷不良９の原因を特定していく。
【０１０４】
なお、部品情報印刷範囲１４に部品名を印刷する上述の一例に限定することなく、プロセス部品に対応する部品番号等を印刷する構成でも適用可能である。例えば、画像形成装置１について何も分からないユーザがサポートセンターに連絡する際に、ユーザは印刷不良９のピッチと一致するスケール１１に対応する番号をセンターの技術者に対して報告するだけで、技術者はユーザから報告された番号に基づいてどのプロセス部品に動作不良が発生しているのかを容易に把握することができる。
【０１０５】
また、検査印刷処理部６が部品別検査データ保存部３から取り出した部品毎の検査データに基づいてチェックシート１０を生成する上述の一例に限定することなく、部品毎の検査データはある程度固定された値なので、検査印刷を行なう度にチェックシート１０を生成する必要はないと考える場合は、部品別検査データ保存部３にチェックシート１０の画像を予め保存しておき、画像形成部７でそのチェックシート１０の画像を形成する構成でも適用可能である。
【０１０６】
また、検査印刷を行なう度にチェックシート１０を印刷する上述の一例に限定することなく、チェックシート１０を備品として画像形成装置１に備え付け、何らかの理由でチェックシート１０を紛失、破損した場合にチェックシート１０を印刷する構成でも適用可能である。
【実施例２】
【０１０７】
図７は、実施例２の概要を説明するための図である。
【０１０８】
図７に示すように、画像形成装置１と、１つのデータ管理装置１６、画像形成装置１とは異なる少なくとも１つの他の画像形成装置（画像形成装置Ａ１７１、画像形成装置Ｂ１７２、‥‥、画像形成装置Ｎ１７Ｎ）が、ネットワーク１８を介して接続されて構成されている。
【０１０９】
実施例２では、実施例１で説明した検査印刷を画像形成装置１、データ管理装置１６および他の画像形成装置（１７１〜１７Ｎ）が連動して行う構成を説明する。
【０１１０】
図８は、画像形成装置１がパターン画像を保存し、データ管理装置１６が部品別検査データを保存する構成の一例を示す図である。
【０１１１】
図８に示すように、画像形成装置１は、パターン画像を保存するパターン画像保存部２、検査印刷の指示を受け付けた際にデータ管理装置１６から部品別検査データを取得する部品別検査データ取得部１９、指示入力のための入力部（不図示）、検査印刷の指示を受け付ける検査印刷受付部（不図示）、パターン画像および部品別検査データ取得部１９で取得した部品別検査データに基づいて生成したチェックシートを画像形成部７に渡す検査印刷処理部（不図示）、パターン画像およびチェックシートを用紙に形成する画像形成部７を具備して構成され、データ管理装置１６は、プロセス部品毎に異なる一定周期を検査データとしてプロセス部品別に保存する部品別検査データ保存部３を具備して構成される。
【０１１２】
図８に示すように、画像形成装置１は検査印刷の指示を受け付けた際に、自装置に保存しているパターン画像を印刷するとともに、データ管理装置１６に保存している部品別検査データをデータ管理装置１６から取得してチェックシートを印刷する。
【０１１３】
図９は、画像形成装置お１よびデータ管理装置１６が連動して行う検査印刷処理の流れを示すシーケンス図である。
【０１１４】
画像形成装置の検査印刷受付部が検査印刷の指示を受け付けると（Ｓ９０１）、検査印刷処理部がパターン画像保存部からイエロー２０％のパターン画像を取り出し、画像形成部がイエロー２０％のパターン画像を用紙に形成し（Ｓ９０２）、検査印刷処理部がパターン画像保存部からマゼンタ２０％のパターン画像を取り出し、画像形成部がマゼンタ２０％のパターン画像を用紙に形成し（Ｓ９０３）、検査印刷処理部がパターン画像保存部からシアン２０％のパターン画像を取り出し、画像形成部がシアン２０％のパターン画像を用紙に形成し（Ｓ９０４）、検査印刷処理部がパターン画像保存部からブラック２０％のパターン画像を取り出し、画像形成部がブラック２０％のパターン画像を用紙に形成し（Ｓ９０５）、部品別検査データ取得部がデータ管理装置に対して部品別検査データを要求する（Ｓ９０６）。
【０１１５】
データ管理装置が画像形成装置からの部品別検査データの要求を受け付けると、部品別検査データ保存部に保存している部品別検査データを画像形成装置に対して送信する（Ｓ９０７）。
【０１１６】
画像形成装置の部品別検査データ取得部がデータ管理装置からの部品別検査データを受信すると、受信した部品別検査データに基づいてチェックシートを生成し、画像形成部がチェックシートを用紙に形成し（Ｓ９０８）、検査印刷処理を終了する。
【０１１７】
図１０は、画像形成装置１がパターン画像を保存し、データ管理装置１６が部品別検査データを保存し、他の画像形成装置である画像形成装置Ａ１７１が部品別検査データを印刷する構成の一例を示す図である。
【０１１８】
図１０に示すように、画像形成装置１は、パターン画像を保存するパターン画像保存部２、検査印刷の指示を受け付けた際にデータ管理装置１６に対してチェックシートの印刷を指示するチェックシート印刷指示部２０、指示入力のための入力部（不図示）、検査印刷の指示を受け付ける検査印刷受付部（不図示）、パターン画像を画像形成部７に渡す検査印刷処理部（不図示）、パターン画像を用紙に形成する画像形成部７を具備して構成され、データ管理装置１６は、プロセス部品毎に異なる一定周期を検査データとしてプロセス部品別に保存する部品別検査データ保存部３、画像形成装置１からのチェックシートの印刷の指示を受け付けた際に部品別検査データ保存部３に保存している部品別検査データを画像形成装置Ａ１７１に対して送信し、画像形成装置Ａ１７１にチェックシートの印刷を依頼する部品別検査データ送信部２１を具備して構成される。
【０１１９】
図１０に示すように、画像形成装置１は検査印刷の指示を受け付けた際に、自装置に保存しているパターン画像を印刷するとともに、データ管理装置１６に対してチェックシートの印刷を指示し、データ管理装置１６は画像形成装置１からのチェックシートの印刷の指示を受け付けると、保存している部品別検査データを画像形成装置Ａ１７１に対して送信し、画像形成装置Ａ１７１は部品別検査データを受信すると、チェックシートを印刷する。
【０１２０】
図１１は、画像形成装置１、データ管理装置１６および画像形成装置Ａ１７１が連動して行う検査印刷処理の流れを示すシーケンス図である。
【０１２１】
画像形成装置の検査印刷受付部が検査印刷の指示を受け付けると（Ｓ１１０１）、検査印刷処理部がパターン画像保存部からイエロー２０％のパターン画像を取り出し、画像形成部がイエロー２０％のパターン画像を用紙に形成し（Ｓ１１０２）、検査印刷処理部がパターン画像保存部からマゼンタ２０％のパターン画像を取り出し、画像形成部がマゼンタ２０％のパターン画像を用紙に形成し（Ｓ１１０３）、検査印刷処理部がパターン画像保存部からシアン２０％のパターン画像を取り出し、画像形成部がシアン２０％のパターン画像を用紙に形成し（Ｓ１１０４）、検査印刷処理部がパターン画像保存部からブラック２０％のパターン画像を取り出し、画像形成部がブラック２０％のパターン画像を用紙に形成し（Ｓ１１０５）、チェックシート印刷指示部がデータ管理装置に対してチェックシートの印刷を指示する（Ｓ１１０６）。
【０１２２】
データ管理装置が画像形成装置からのチェックシートの印刷の指示を受け付けると、部品別検査データに保存している部品別検査データを画像形成装置Ａに対して送信する（Ｓ１１０７）。
【０１２３】
画像形成装置Ａがデータ管理装置からの部品別検査データを受信すると、受信した部品別検査データに基づいてチェックシートを用紙に形成し（Ｓ１１０８）、検査印刷処理を終了する。
【０１２４】
図１２は、画像形成装置１が部品別検査データを保存し、データ管理装置１６がパターン画像を保存する構成の一例を示す図である。
【０１２５】
図１２に示すように、画像形成装置１は、プロセス部品毎に異なる一定周期を検査データとしてプロセス部品別に保存する部品別検査データ保存部３、検査印刷の指示を受け付けた際にデータ管理装置１６からパターン画像を取得するパターン画像取得部２２、指示入力のための入力部（不図示）、検査印刷の指示を受け付ける検査印刷受付部（不図示）、パターン画像取得部２２で取得したパターン画像および部品別検査データに基づいて生成したチェックシートを画像形成部７に渡す検査印刷処理部（不図示）、パターン画像およびチェックシートを用紙に形成する画像形成部７を具備して構成され、データ管理装置１６は、パターン画像を保存するパターン画像保存部２を具備して構成される。
【０１２６】
図１２に示すように、画像形成装置１は検査印刷の指示を受け付けた際に、データ管理装置１６に保存しているパターン画像をデータ管理装置１６から取得して印刷するとともに、自装置に保存している部品別検査データに基づいてチェックシートを印刷する。
【０１２７】
図１３は、画像形成装置１およびデータ管理装置１６が連動して行う検査印刷処理の流れを示すシーケンス図である。
【０１２８】
画像形成装置の検査印刷受付部が検査印刷の指示を受け付けると（Ｓ１３０１）、パターン画像取得部がデータ管理装置に対してパターン画像を要求する（Ｓ１３０２）。
【０１２９】
データ管理装置が画像形成装置からのパターン画像の要求を受け付けると、パターン画像保存部に保存しているパターン画像を画像形成装置に対して送信する（Ｓ１３０３）。  画像形成装置のパターン画像取得部がデータ管理装置からのパターン画像を受信すると、画像形成部が受信したイエロー２０％のパターン画像を用紙に形成し（Ｓ１３０４）、画像形成部が受信したマゼンタ２０％のパターン画像を用紙に形成し（Ｓ１３０５）、画像形成部が受信したシアン２０％のパターン画像を用紙に形成し（Ｓ１３０６）、画像形成部が受信したブラック２０％のパターン画像を用紙に形成し（Ｓ１３０７）、検査印刷処理部が部品別検査データ保存部から部品毎の検査データを取り出してチェックシートを生成し、画像形成部がチェックシートを用紙に形成し（Ｓ１３０８）、検査印刷処理を終了する。
【０１３０】
図１４は、データ管理装置１６がパターン画像および部品別検査データを保存する構成の一例を示す図である。
【０１３１】
図１４に示すように、画像形成装置１は、検査印刷の指示を受け付けた際にデータ管理装置１６からパターン画像を取得するパターン画像取得部２２、検査印刷の指示を受け付けた際にデータ管理装置１６から部品別検査データを取得する部品別検査データ取得部１９、指示入力のための入力部（不図示）、検査印刷の指示を受け付ける検査印刷受付部（不図示）、パターン画像取得部２２で取得したパターン画像および部品別検査データ取得部１９で取得した部品別検査データに基づいて生成したチェックシートを画像形成部７に渡す検査印刷処理部（不図示）、パターン画像およびチェックシートを用紙に形成する画像形成部７を具備して構成され、データ管理装置１６は、パターン画像を保存するパターン画像保存部２、プロセス部品毎に異なる一定周期を検査データとしてプロセス部品別に保存する部品別検査データ保存部３を具備して構成される。
【０１３２】
図１４に示すように、画像形成装置１は検査印刷の指示を受け付けた際に、データ管理装置１６に保存しているパターン画像をデータ管理装置１６から取得して印刷するとともに、データ管理装置１６に保存している部品別検査データをデータ管理装置１６から取得してチェックシートを印刷する。
【０１３３】
図１５は、画像形成装置１およびデータ管理装置１６が連動して行う検査印刷処理の流れを示すシーケンス図である。
【０１３４】
画像形成装置の検査印刷受付部が検査印刷の指示を受け付けると（Ｓ１５０１）、パターン画像取得部がデータ管理装置に対してパターン画像を要求する（Ｓ１５０２）。
【０１３５】
データ管理装置が画像形成装置からのパターン画像の要求を受け付けると、パターン画像保存部に保存しているパターン画像を画像形成装置に対して送信する（Ｓ１５０３）。  画像形成装置のパターン画像取得部がデータ管理装置からのパターン画像を受信すると、画像形成部が受信したイエロー２０％のパターン画像を用紙に形成し（Ｓ１５０４）、画像形成部が受信したマゼンタ２０％のパターン画像を用紙に形成し（Ｓ１５０５）、画像形成部が受信したシアン２０％のパターン画像を用紙に形成し（Ｓ１５０６）、画像形成部が受信したブラック２０％のパターン画像を用紙に形成し（Ｓ１５０７）、部品別検査データ取得部がデータ管理装置に対して部品別検査データを要求する（Ｓ１５０８）。
【０１３６】
データ管理装置が画像形成装置からの部品別検査データの要求を受け付けると、部品別検査データ保存部に保存している部品別検査データを画像形成装置に対して送信する（Ｓ１５０９）。
【０１３７】
画像形成装置の部品別検査データ取得部がデータ管理装置からの部品別検査データを受信すると、受信した部品別検査データに基づいてチェックシートを生成し、画像形成部がチェックシートを用紙に形成し（Ｓ１５１０）、検査印刷処理を終了する。
【０１３８】
図１６は、データ管理装置１６がパターン画像および部品別検査データを保存し、他の画像形成装置である画像形成装置Ａ１７１が部品別検査データを印刷する構成の一例を示す図である。
【０１３９】
図１６に示すように、画像形成装置１は、検査印刷の指示を受け付けた際にデータ管理装置１６からパターン画像を取得するパターン画像取得部２２、検査印刷の指示を受け付けた際にデータ管理装置１６に対してチェックシートの印刷を指示するチェックシート印刷指示部２０、指示入力のための入力部（不図示）、検査印刷の指示を受け付ける検査印刷受付部（不図示）、パターン画像を画像形成部７に渡す検査印刷処理部（不図示）、パターン画像を用紙に形成する画像形成部７を具備して構成され、データ管理装置１６は、パターン画像を保存するパターン画像保存部２、プロセス部品毎に異なる一定周期を検査データとしてプロセス部品別に保存する部品別検査データ保存部３、画像形成装置１からのチェックシートの印刷の指示を受け付けた際に部品別検査データ保存部３に保存している部品別検査データを画像形成装置Ａ１７１に対して送信し、画像形成装置Ａ１７１にチェックシートの印刷を依頼する部品別検査データ送信部２１を具備して構成される。
【０１４０】
図１６に示すように、画像形成装置１は検査印刷の指示を受け付けた際に、データ管理装置１６に保存しているパターン画像をデータ管理装置１６から取得して印刷するとともに、データ管理装置１６に対してチェックシートの印刷を指示し、データ管理装置１６は画像形成装置１からのチェックシートの印刷の指示を受け付けると、保存している部品別検査データを画像形成装置Ａ１７１に対して送信し、画像形成装置Ａ１７１は部品別検査データを受信すると、チェックシートを印刷する。
【０１４１】
図１７は、画像形成装置１、データ管理装置１６および画像形成装置Ａ１７１が連動して行う検査印刷処理の流れを示すシーケンス図である。
【０１４２】
画像形成装置の検査印刷受付部が検査印刷の指示を受け付けると（Ｓ１７０１）、パターン画像取得部がデータ管理装置に対してパターン画像を要求する（Ｓ１７０２）。
【０１４３】
データ管理装置が画像形成装置からのパターン画像の要求を受け付けると、パターン画像保存部に保存しているパターン画像を画像形成装置に対して送信する（Ｓ１７０３）
画像形成装置のパターン画像取得部がデータ管理装置からのパターン画像を受信すると、画像形成部が受信したイエロー２０％のパターン画像を用紙に形成し（Ｓ１７０４）、画像形成部が受信したマゼンタ２０％のパターン画像を用紙に形成し（Ｓ１７０５）、画像形成部が受信したシアン２０％のパターン画像を用紙に形成し（Ｓ１７０６）、画像形成部が受信したブラック２０％のパターン画像を用紙に形成し（Ｓ１７０７）、チェックシート印刷指示部がデータ管理装置に対してチェックシートの印刷を指示する（Ｓ１７０８）。
【０１４４】
データ管理装置が画像形成装置からのチェックシートの印刷の指示を受け付けると、部品別検査データに保存している部品別検査データを画像形成装置Ａに対して送信する（Ｓ１７０９）。
【０１４５】
画像形成装置Ａがデータ管理装置からの部品別検査データを受信すると、受信した部品別検査データに基づいてチェックシートを用紙に形成し（Ｓ１７１０）、検査印刷処理を終了する。
【０１４６】
なお、画像形成装置１が検査印刷の指示を受け付けてから検査印刷処理を開始する上述の一例に限定することなく、データ管理装置１６が検査印刷の指示を受け付けてから検査印刷処理を開始する構成でも適用可能である。
【０１４７】
また、パターン画像およびチェックシートを用いた原因特定は、実施例１で説明した原因特定と同様であるため、ここでの説明は省略する。
【０１４８】
また、検査印刷処理部が部品毎の検査データに基づいてチェックシートを生成する上述の一例に限定することなく、部品毎の検査データはある程度固定された値なので、検査印刷を行なう度にチェックシートを生成する必要はないと考える場合は、部品別検査データ保存部３にチェックシートの画像を予め保存しておき、画像形成部７でそのチェックシートの画像を形成する構成でも適用可能である。
【０１４９】
また、検査印刷を行なう度にチェックシートを印刷する上述の一例に限定することなく、チェックシートを備品として画像形成装置１に備え付け、何らかの理由でチェックシートを紛失、破損した場合にチェックシートを印刷する構成でも適用可能である。
【図面の簡単な説明】
【０１５０】
【図１】実施例１の概要を説明するための図である。
【図２】画像形成装置が行う検査印刷処理の流れを示すフローチャートである。
【図３】用紙に画像形成されたパターン画像の一例を示す図である。
【図４】用紙に画像形成されたチェックシートの一部の一例を示す図である。
【図５】用紙に画像形成されたチェックシートの全体の一例を示す図である。
【図６】パターン画像およびチェックシートを用いた原因特定の一例を示す図である。
【図７】実施例２の概要を説明するための図である。
【図８】画像形成装置がパターン画像を保存し、データ管理装置が部品別検査データを保存する構成の一例を示す図である。
【図９】画像形成装置およびデータ管理装置が連動して行う検査印刷処理の流れを示すシーケンス図である。
【図１０】画像形成装置がパターン画像を保存し、データ管理装置が部品別検査データを保存し、他の画像形成装置である画像形成装置Ａが部品別検査データを印刷する構成の一例を示す図である。
【図１１】画像形成装置、データ管理装置および画像形成装置Ａが連動して行う検査印刷処理の流れを示すシーケンス図である。
【図１２】画像形成装置が部品別検査データを保存し、データ管理装置がパターン画像を保存する構成の一例を示す図である。
【図１３】画像形成装置およびデータ管理装置が連動して行う検査印刷処理の流れを示すシーケンス図である。
【図１４】データ管理装置がパターン画像および部品別検査データを保存する構成の一例を示す図である。
【図１５】画像形成装置およびデータ管理装置が連動して行う検査印刷処理の流れを示すシーケンス図である。
【図１６】データ管理装置がパターン画像および部品別検査データを保存し、他の画像形成装置である画像形成装置Ａが部品別検査データを印刷する構成の一例を示す図である。
【図１７】画像形成装置、データ管理装置および画像形成装置Ａが連動して行う検査印刷処理の流れを示すシーケンス図である。
【符号の説明】
【０１５１】
１    画像形成装置
２    パターン画像保存部
２０１    イエロー濃度２０％のパターン画像
２０２    マゼンタ濃度２０％のパターン画像
２０３    シアン濃度２０％のパターン画像
２０４    ブラック濃度２０％のパターン画像
３    部品別検査データ保存部
４    入力部
５    検査印刷受付部
６    検査印刷処理部
７    画像形成部
８    パターン画像
９    印刷不良
１０    チェックシート
１１    スケール
１２    スケール印刷範囲
１３    原因特定方法印刷範囲
１４    部品情報印刷範囲
１５    折り目ライン
１６    データ管理装置
１７１〜１７Ｎ    他の画像形成装置
１８    ネットワーク
１９    部品別検査データ取得部
２０    チェックシート印刷指示部
２１    部品別検査データ送信部
２２    パターン画像取得部
【図１】
2008087215.tif 000003
【図２】
2008087215.tif 000004
【図３】
2008087215.tif 000005
【図４】
2008087215.tif 000006
【図５】
2008087215.tif 000007
【図６】
2008087215.tif 000008
【図７】
2008087215.tif 000009
【図８】
2008087215.tif 000010
【図９】
2008087215.tif 000011
【図１０】
2008087215.tif 000012
【図１１】
2008087215.tif 000013
【図１２】
2008087215.tif 000014
【図１３】
2008087215.tif 000015
【図１４】
2008087215.tif 000016
【図１５】
2008087215.tif 000017
【図１６】
2008087215.tif 000018
【図１７】
2008087215.tif 000019
【手続補正書】
【提出日】平成19年10月15日(2007.10.15)
【手続補正１】
【補正対象書類名】特許請求の範囲
【補正対象項目名】全文
【補正方法】変更
【補正の内容】
【特許請求の範囲】
【請求項１】
印刷不良の原因を特定するための検査対象となるパターン画像を保存するパターン画像保存手段と、
前記パターン画像保存手段に保存しているパターン画像を媒体の画像形成可能範囲に画像形成するパターン画像形成手段と、
前記パターン画像形成手段で前記媒体に画像形成されたパターン画像上に発生する印刷不良の原因となる不良部品を特定するためのスケール、および該不良部品を特定する情報を含む検査データを保存する検査データ保存手段と、
前記検査データ保存手段に保存している検査データを前記パターン画像が画像形成された媒体とは別の媒体に画像形成する検査データ画像形成手段と
を具備することを特徴とする画像形成装置。
【請求項２】
前記スケールのピッチ幅は、
前記媒体に画像形成されたパターン画像上に発生する前記不良部品の影響による前記印刷不良の発生周期を示す
ことを特徴とする請求項１記載の画像形成装置。
【請求項３】
前記スケールおよび前記情報が媒体に前記部品毎に設定された範囲内で画像形成され、
前記部品毎に設定された範囲の境界を示す情報が前記媒体に画像形成される
ことを特徴とする請求項１記載の画像形成装置。
【請求項４】
前記パターン画像保存手段は、
少なくとも１つの色の前記パターン画像を保存する
ことを特徴とする請求項１記載の画像形成装置。
【請求項５】
通信手段を介して接続する画像形成装置と、データ管理装置とを具備し、
前記データ管理装置は、
印刷不良の原因を特定するための検査対象となるパターン画像を保存するパターン画像保存手段
を具備し、
前記画像形成装置は、
前記データ管理装置から前記パターン画像を取得するパターン画像取得手段と、
前記パターン画像取得手段で取得したパターン画像を媒体の画像形成可能範囲に画像形成するパターン画像形成手段と、
前記パターン画像形成手段で前記媒体に画像形成されたパターン画像上に発生する印刷不良の原因となる不良部品を特定するためのスケール、および該不良部品を特定する情報を含む検査データを保存する検査データ保存手段と、
前記検査データ保存手段に保存している検査データを前記パターン画像が画像形成された媒体とは別の媒体に画像形成する検査データ画像形成手段と
を具備することを特徴とする検査システム。
【請求項６】
前記スケールのピッチ幅は、
前記媒体に画像形成されたパターン画像上に発生する前記不良部品の影響による前記印刷不良の発生周期を示す
ことを特徴とする請求項５記載の検査システム。
【請求項７】
前記スケールおよび前記情報が媒体に前記部品毎に設定された範囲内で画像形成され、
前記部品毎に設定された範囲の境界を示す情報が前記媒体に画像形成される
ことを特徴とする請求項５記載の検査システム。
【請求項８】
前記パターン画像保存手段は、
少なくとも１つの色の前記パターン画像を保存する
ことを特徴とする請求項５記載の検査システム。
【請求項９】
通信手段を介して接続する画像形成装置と、データ管理装置とを具備し、
前記画像形成装置は、
印刷不良の原因を特定するための検査対象となるパターン画像を保存するパターン画像保存手段と、
前記パターン画像保存手段で保存しているパターン画像を媒体の画像形成可能範囲に画像形成するパターン画像形成手段と
を具備し、
前記データ管理装置は、
前記画像形成装置で前記媒体に画像形成されたパターン画像上に発生する印刷不良の原因となる不良部品を特定するためのスケール、および該不良部品を特定する情報を含む検査データを保存する検査データ保存手段
を具備し、
前記画像形成装置は、
前記データ管理装置から前記検査データを取得する検査データ取得手段と、
前記検査データ取得手段で取得した検査データを前記パターン画像が画像形成された媒体とは別の媒体に画像形成する検査データ画像形成手段と
を具備することを特徴とする検査システム。
【請求項１０】
前記スケールのピッチ幅は、
前記媒体に画像形成されたパターン画像上に発生する前記不良部品の影響による前記印刷不良の発生周期を示す
ことを特徴とする請求項９記載の検査システム。
【請求項１１】
前記スケールおよび前記情報が媒体に前記部品毎に設定された範囲内で画像形成され、
前記部品毎に設定された範囲の境界を示す情報が前記媒体に画像形成される
ことを特徴とする請求項９記載の検査システム。
【請求項１２】
前記パターン画像保存手段は、
少なくとも１つの色の前記パターン画像を保存する
ことを特徴とする請求項９記載の検査システム。
【請求項１３】
通信手段を介して接続する画像形成装置と、データ管理装置とを具備し、
前記データ管理装置は、
印刷不良の原因を特定するための検査対象となるパターン画像を保存するパターン画像保存手段と、
媒体に画像形成されたパターン画像上に発生する印刷不良の原因となる不良部品を特定するためのスケール、および該不良部品を特定する情報を含む検査データを保存する検査データ保存手段と
を具備し、
前記画像形成装置は、
前記データ管理装置から前記パターン画像を取得するパターン画像取得手段と、
前記パターン画像取得手段で取得したパターン画像を媒体の画像形成可能範囲に画像形成するパターン画像形成手段と、
前記データ管理装置から前記検査データを取得する検査データ取得手段と、
前記検査データ取得手段で取得した検査データを前記パターン画像が画像形成された媒体とは別の媒体に画像形成する検査データ画像形成手段と
を具備することを特徴とする検査システム。
【請求項１４】
前記スケールのピッチ幅は、
前記媒体に画像形成されたパターン画像上に発生する前記不良部品の影響による前記印刷不良の発生周期を示す
ことを特徴とする請求項１３記載の検査システム。
【請求項１５】
前記スケールおよび前記情報が媒体に前記部品毎に設定された範囲内で画像形成され、
前記部品毎に設定された範囲の境界を示す情報が前記媒体に画像形成される
ことを特徴とする請求項１３記載の検査システム。
【請求項１６】
前記パターン画像保存手段は、
少なくとも１つの色の前記パターン画像を保存する
ことを特徴とする請求項１３記載の検査システム。
【請求項１７】
通信手段を介して接続する画像形成装置と、データ管理装置と、該画像形成装置とは異なる他の画像形成装置とを具備し、
前記画像形成装置は、
印刷不良の原因を特定するための検査対象となるパターン画像を保存するパターン画像保存手段と、
前記パターン画像保存手段で保存しているパターン画像を媒体の画像形成可能範囲に画像形成するパターン画像形成手段と
を具備し、
前記データ管理装置は、
前記パターン画像形成手段で前記媒体に画像形成されたパターン画像上に発生する印刷不良の原因となる不良部品を特定するためのスケール、および該不良部品を特定する情報を含む検査データを保存する検査データ保存手段
を具備し、
前記画像形成装置は、
前記検査データの画像形成を前記データ管理装置に対して指示する指示手段
を具備し、
前記データ管理装置は、
前記画像形成装置から前記検査データの画像形成を指示された際に、前記検査データを前記他の画像形成装置に対して送信する送信手段
を具備し、
前記他の画像形成装置は、
前記データ管理装置から受信した検査データを媒体に画像形成する検査データ画像形成手段
を具備することを特徴とする検査システム。
【請求項１８】
前記スケールのピッチ幅は、
前記媒体に画像形成されたパターン画像上に発生する前記不良部品の影響による前記印刷不良の発生周期を示す
ことを特徴とする請求項１７記載の検査システム。
【請求項１９】
前記スケールおよび前記情報が媒体に前記部品毎に設定された範囲内で画像形成され、
前記部品毎に設定された範囲の境界を示す情報が前記媒体に画像形成される
ことを特徴とする請求項１７記載の検査システム。
【請求項２０】
前記パターン画像保存手段は、
少なくとも１つの色の前記パターン画像を保存する
ことを特徴とする請求項１７記載の検査システム。
【請求項２１】
通信手段を介して接続する画像形成装置と、データ管理装置と、該画像形成装置とは異なる他の画像形成装置とを具備し、
前記データ管理装置は、
印刷不良の原因を特定するための検査対象となるパターン画像を保存するパターン画像保存手段と、
前記パターン画像形成手段で前記媒体に画像形成されたパターン画像上に発生する印刷不良の原因となる不良部品を特定するためのスケール、および該不良部品を特定する情報を含む検査データを保存する検査データ保存手段と
を具備し、
前記画像形成装置は、
前記データ管理装置から前記パターン画像を取得するパターン画像取得手段と、
前記パターン画像取得手段で取得したパターン画像を媒体の画像形成可能範囲に画像形成するパターン画像形成手段と、
前記検査データの画像形成を前記データ管理装置に対して指示する指示手段と
を具備し、
前記データ管理装置は、
前記画像形成装置から前記検査データの画像形成を指示された際に、前記検査データを前記他の画像形成装置に対して送信する送信手段
を具備し、
前記他の画像形成装置は、
前記データ管理装置から受信した検査データを媒体に画像形成する検査データ画像形成手段
を具備することを特徴とする検査システム。
【請求項２２】
前記スケールのピッチ幅は、
前記媒体に画像形成されたパターン画像上に発生する前記不良部品の影響による前記印刷不良の発生周期を示す
ことを特徴とする請求項２１記載の検査システム。
【請求項２３】
前記スケールおよび前記情報が媒体に前記部品毎に設定された範囲内で画像形成され、
前記部品毎に設定された範囲の境界を示す情報が前記媒体に画像形成される
ことを特徴とする請求項２１記載の検査システム。
【請求項２４】
前記パターン画像保存手段は、
少なくとも１つの色の前記パターン画像を保存する
ことを特徴とする請求項２１記載の検査システム。
【請求項２５】
印刷不良の原因を特定するための検査対象となるパターン画像を媒体の画像形成可能範囲に画像形成するパターン画像形成処理と、
前記媒体に画像形成されたパターン画像上に発生する印刷不良の原因となる不良部品を特定するためのスケール、および該不良部品を特定する情報を含む検査データを該パターン画像が画像形成された媒体とは別の媒体に画像形成する検査データ画像形成処理と
を画像形成装置に動作させることを特徴とする検査プログラム。
【請求項２６】
前記スケールのピッチ幅は、
前記媒体に画像形成されたパターン画像上に発生する前記不良部品の影響による前記印刷不良の発生周期を示す
ことを特徴とする請求項２５記載の検査プログラム。
【請求項２７】
前記スケールおよび前記情報が媒体に前記部品毎に設定された範囲内で画像形成され、
前記部品毎に設定された範囲の境界を示す情報が前記媒体に画像形成される
ことを特徴とする請求項２５記載の検査プログラム。
【請求項２８】
前記パターン画像は、
少なくとも１つの色から成る
ことを特徴とする請求項２５記載の検査プログラム。
【手続補正３】
【補正対象書類名】明細書
【補正対象項目名】０００１
【補正方法】変更
【補正の内容】
【０００１】
本発明は、画像形成装置、検査システムおよび検査プログラムに関する。
【手続補正４】
【補正対象書類名】明細書
【補正対象項目名】０００４
【補正方法】変更
【補正の内容】
【０００４】
本発明は、印刷不良の発生原因を容易に判断することのできる画像形成装置、検査システムおよび検査プログラムを提供することを目的とする。
【手続補正５】
【補正対象書類名】明細書
【補正対象項目名】０００５
【補正方法】変更
【補正の内容】
【０００５】
上記目的を達成するため、請求項１の発明は、印刷不良の原因を特定するための検査対象となるパターン画像を保存するパターン画像保存手段と、前記パターン画像保存手段に保存しているパターン画像を媒体の画像形成可能範囲に画像形成するパターン画像形成手段と、前記パターン画像形成手段で前記媒体に画像形成されたパターン画像上に発生する印刷不良の原因となる不良部品を特定するためのスケール、および該不良部品を特定する情報を含む検査データを保存する検査データ保存手段と、前記検査データ保存手段に保存している検査データを前記パターン画像が画像形成された媒体とは別の媒体に画像形成する検査データ画像形成手段とを具備することを特徴とする。
【手続補正６】
【補正対象書類名】明細書
【補正対象項目名】０００６
【補正方法】変更
【補正の内容】
【０００６】
また、請求項２の発明は、請求項１の発明において、前記スケールのピッチ幅は、
前記媒体に画像形成されたパターン画像上に発生する前記不良部品の影響による前記印刷不良の発生周期を示すことを特徴とする。
【手続補正７】
【補正対象書類名】明細書
【補正対象項目名】０００７
【補正方法】変更
【補正の内容】
【０００７】
また、請求項３の発明は、請求項１の発明において、前記スケールおよび前記情報が媒体に前記部品毎に設定された範囲内で画像形成され、前記部品毎に設定された範囲の境界を示す情報が前記媒体に画像形成されることを特徴とする。
【手続補正８】
【補正対象書類名】明細書
【補正対象項目名】０００８
【補正方法】変更
【補正の内容】
【０００８】
また、請求項４の発明は、請求項１の発明において、前記パターン画像保存手段は、少なくとも１つの色の前記パターン画像を保存することを特徴とする。
【手続補正９】
【補正対象書類名】明細書
【補正対象項目名】０００９
【補正方法】変更
【補正の内容】
【０００９】
また、請求項５の発明は、通信手段を介して接続する画像形成装置と、データ管理装置とを具備し、前記データ管理装置は、印刷不良の原因を特定するための検査対象となるパターン画像を保存するパターン画像保存手段を具備し、前記画像形成装置は、前記データ管理装置から前記パターン画像を取得するパターン画像取得手段と、前記パターン画像取得手段で取得したパターン画像を媒体の画像形成可能範囲に画像形成するパターン画像形成手段と、前記パターン画像形成手段で前記媒体に画像形成されたパターン画像上に発生する印刷不良の原因となる不良部品を特定するためのスケール、および該不良部品を特定する情報を含む検査データを保存する検査データ保存手段と、前記検査データ保存手段に保存している検査データを前記パターン画像が画像形成された媒体とは別の媒体に画像形成する検査データ画像形成手段とを具備することを特徴とする。
【手続補正１０】
【補正対象書類名】明細書
【補正対象項目名】００１０
【補正方法】変更
【補正の内容】
【００１０】
また、請求項６の発明は、請求項５の発明において、前記スケールのピッチ幅は、前記媒体に画像形成されたパターン画像上に発生する前記不良部品の影響による前記印刷不良の発生周期を示すことを特徴とする。
【手続補正１１】
【補正対象書類名】明細書
【補正対象項目名】００１１
【補正方法】変更
【補正の内容】
【００１１】
また、請求項７の発明は、請求項５の発明において、前記スケールおよび前記情報が媒体に前記部品毎に設定された範囲内で画像形成され、前記部品毎に設定された範囲の境界を示す情報が前記媒体に画像形成されることを特徴とする。
【手続補正１２】
【補正対象書類名】明細書
【補正対象項目名】００１２
【補正方法】変更
【補正の内容】
【００１２】
また、請求項８の発明は、請求項５の発明において、前記パターン画像保存手段は、少なくとも１つの色の前記パターン画像を保存することを特徴とする。
【手続補正１３】
【補正対象書類名】明細書
【補正対象項目名】００１３
【補正方法】変更
【補正の内容】
【００１３】
また、請求項９の発明は、通信手段を介して接続する画像形成装置と、データ管理装置とを具備し、前記画像形成装置は、印刷不良の原因を特定するための検査対象となるパターン画像を保存するパターン画像保存手段と、前記パターン画像保存手段で保存しているパターン画像を媒体の画像形成可能範囲に画像形成するパターン画像形成手段とを具備し、前記データ管理装置は、前記画像形成装置で前記媒体に画像形成されたパターン画像上に発生する印刷不良の原因となる不良部品を特定するためのスケール、および該不良部品を特定する情報を含む検査データを保存する検査データ保存手段を具備し、前記画像形成装置は、前記データ管理装置から前記検査データを取得する検査データ取得手段と、前記検査データ取得手段で取得した検査データを前記パターン画像が画像形成された媒体とは別の媒体に画像形成する検査データ画像形成手段とを具備することを特徴とする。
【手続補正１４】
【補正対象書類名】明細書
【補正対象項目名】００１４
【補正方法】変更
【補正の内容】
【００１４】
また、請求項１０の発明は、請求項９の発明において、前記スケールのピッチ幅は、前記媒体に画像形成されたパターン画像上に発生する前記不良部品の影響による前記印刷不良の発生周期を示すことを特徴とする。
【手続補正１５】
【補正対象書類名】明細書
【補正対象項目名】００１５
【補正方法】変更
【補正の内容】
【００１５】
また、請求項１１の発明は、請求項９の発明において、前記スケールおよび前記情報が媒体に前記部品毎に設定された範囲内で画像形成され、前記部品毎に設定された範囲の境界を示す情報が前記媒体に画像形成されることを特徴とする。
【手続補正１６】
【補正対象書類名】明細書
【補正対象項目名】００１６
【補正方法】変更
【補正の内容】
【００１６】
また、請求項１２の発明は、請求項９の発明において、前記パターン画像保存手段は、少なくとも１つの色の前記パターン画像を保存することを特徴とする。
【手続補正１７】
【補正対象書類名】明細書
【補正対象項目名】００１７
【補正方法】変更
【補正の内容】
【００１７】
また、請求項１３の発明は、通信手段を介して接続する画像形成装置と、データ管理装置とを具備し、前記データ管理装置は、印刷不良の原因を特定するための検査対象となるパターン画像を保存するパターン画像保存手段と、媒体に画像形成されたパターン画像上に発生する印刷不良の原因となる不良部品を特定するためのスケール、および該不良部品を特定する情報を含む検査データを保存する検査データ保存手段とを具備し、前記画像形成装置は、前記データ管理装置から前記パターン画像を取得するパターン画像取得手段と、前記パターン画像取得手段で取得したパターン画像を媒体の画像形成可能範囲に画像形成するパターン画像形成手段と、前記データ管理装置から前記検査データを取得する検査データ取得手段と、前記検査データ取得手段で取得した検査データを前記パターン画像が画像形成された媒体とは別の媒体に画像形成する検査データ画像形成手段とを具備することを特徴とする。
【手続補正１８】
【補正対象書類名】明細書
【補正対象項目名】００１８
【補正方法】変更
【補正の内容】
【００１８】
また、請求項１４の発明は、請求項１３の発明において、前記スケールのピッチ幅は、前記媒体に画像形成されたパターン画像上に発生する前記不良部品の影響による前記印刷不良の発生周期を示すことを特徴とする。
【手続補正１９】
【補正対象書類名】明細書
【補正対象項目名】００１９
【補正方法】変更
【補正の内容】
【００１９】
また、請求項１５の発明は、請求項１３の発明において、前記スケールおよび前記情報が媒体に前記部品毎に設定された範囲内で画像形成され、前記部品毎に設定された範囲の境界を示す情報が前記媒体に画像形成されることを特徴とする。
【手続補正２０】
【補正対象書類名】明細書
【補正対象項目名】００２０
【補正方法】変更
【補正の内容】
【００２０】
また、請求項１６の発明は、請求項１３の発明において、前記パターン画像保存手段は、少なくとも１つの色の前記パターン画像を保存することを特徴とする。
【手続補正２１】
【補正対象書類名】明細書
【補正対象項目名】００２１
【補正方法】変更
【補正の内容】
【００２１】
また、請求項１７の発明は、通信手段を介して接続する画像形成装置と、データ管理装置と、該画像形成装置とは異なる他の画像形成装置とを具備し、前記画像形成装置は、印刷不良の原因を特定するための検査対象となるパターン画像を保存するパターン画像保存手段と、前記パターン画像保存手段で保存しているパターン画像を媒体の画像形成可能範囲に画像形成するパターン画像形成手段とを具備し、前記データ管理装置は、前記パターン画像形成手段で前記媒体に画像形成されたパターン画像上に発生する印刷不良の原因となる不良部品を特定するためのスケール、および該不良部品を特定する情報を含む検査データを保存する検査データ保存手段を具備し、前記画像形成装置は、前記検査データの画像形成を前記データ管理装置に対して指示する指示手段を具備し、前記データ管理装置は、前記画像形成装置から前記検査データの画像形成を指示された際に、前記検査データを前記他の画像形成装置に対して送信する送信手段を具備し、前記他の画像形成装置は、前記データ管理装置から受信した検査データを媒体に画像形成する検査データ画像形成手段を具備することを特徴とする。
【手続補正２２】
【補正対象書類名】明細書
【補正対象項目名】００２２
【補正方法】変更
【補正の内容】
【００２２】
また、請求項１８の発明は、請求項１７の発明において、前記スケールのピッチ幅は、前記媒体に画像形成されたパターン画像上に発生する前記不良部品の影響による前記印刷不良の発生周期を示すことを特徴とする。
【手続補正２３】
【補正対象書類名】明細書
【補正対象項目名】００２３
【補正方法】変更
【補正の内容】
【００２３】
また、請求項１９の発明は、請求項１７の発明において、前記スケールおよび前記情報が媒体に前記部品毎に設定された範囲内で画像形成され、前記部品毎に設定された範囲の境界を示す情報が前記媒体に画像形成されることを特徴とする。
【手続補正２４】
【補正対象書類名】明細書
【補正対象項目名】００２４
【補正方法】変更
【補正の内容】
【００２４】
また、請求項２０の発明は、請求項１７の発明において、前記パターン画像保存手段は、少なくとも１つの色の前記パターン画像を保存することを特徴とする。
【手続補正２５】
【補正対象書類名】明細書
【補正対象項目名】００２５
【補正方法】変更
【補正の内容】
【００２５】
また、請求項２１の発明は、通信手段を介して接続する画像形成装置と、データ管理装置と、該画像形成装置とは異なる他の画像形成装置とを具備し、前記データ管理装置は、印刷不良の原因を特定するための検査対象となるパターン画像を保存するパターン画像保存手段と、前記パターン画像形成手段で前記媒体に画像形成されたパターン画像上に発生する印刷不良の原因となる不良部品を特定するためのスケール、および該不良部品を特定する情報を含む検査データを保存する検査データ保存手段とを具備し、前記画像形成装置は、前記データ管理装置から前記パターン画像を取得するパターン画像取得手段と、前記パターン画像取得手段で取得したパターン画像を媒体の画像形成可能範囲に画像形成するパターン画像形成手段と、前記検査データの画像形成を前記データ管理装置に対して指示する指示手段とを具備し、前記データ管理装置は、前記画像形成装置から前記検査データの画像形成を指示された際に、前記検査データを前記他の画像形成装置に対して送信する送信手段を具備し、前記他の画像形成装置は、前記データ管理装置から受信した検査データを媒体に画像形成する検査データ画像形成手段を具備することを特徴とする。
【手続補正２６】
【補正対象書類名】明細書
【補正対象項目名】００２６
【補正方法】変更
【補正の内容】
【００２６】
また、請求項２２の発明は、請求項２１の発明において、前記スケールのピッチ幅は、前記媒体に画像形成されたパターン画像上に発生する前記不良部品の影響による前記印刷不良の発生周期を示すことを特徴とする。
【手続補正２７】
【補正対象書類名】明細書
【補正対象項目名】００２７
【補正方法】変更
【補正の内容】
【００２７】
また、請求項２３の発明は、請求項２１の発明において、前記スケールおよび前記情報が媒体に前記部品毎に設定された範囲内で画像形成され、前記部品毎に設定された範囲の境界を示す情報が前記媒体に画像形成されることを特徴とする。
【手続補正２８】
【補正対象書類名】明細書
【補正対象項目名】００２８
【補正方法】変更
【補正の内容】
【００２８】
また、請求項２４の発明は、請求項２１の発明において、前記パターン画像保存手段は、少なくとも１つの色の前記パターン画像を保存することを特徴とする。
【手続補正２９】
【補正対象書類名】明細書
【補正対象項目名】００２９
【補正方法】変更
【補正の内容】
【００２９】
また、請求項２５の発明は、印刷不良の原因を特定するための検査対象となるパターン画像を媒体の画像形成可能範囲に画像形成するパターン画像形成処理と、前記媒体に画像形成されたパターン画像上に発生する印刷不良の原因となる不良部品を特定するためのスケール、および該不良部品を特定する情報を含む検査データを該パターン画像が画像形成された媒体とは別の媒体に画像形成する検査データ画像形成処理とを画像形成装置に動作させることを特徴とする。
【手続補正３０】
【補正対象書類名】明細書
【補正対象項目名】００３０
【補正方法】変更
【補正の内容】
【００３０】
また、請求項２６の発明は、請求項２５の発明において、前記スケールのピッチ幅は、前記媒体に画像形成されたパターン画像上に発生する前記不良部品の影響による前記印刷不良の発生周期を示すことを特徴とする。
【手続補正３１】
【補正対象書類名】明細書
【補正対象項目名】００３１
【補正方法】変更
【補正の内容】
【００３１】
また、請求項２７の発明は、請求項２５の発明において、前記スケールおよび前記情報が媒体に前記部品毎に設定された範囲内で画像形成され、前記部品毎に設定された範囲の境界を示す情報が前記媒体に画像形成されることを特徴とする。
【手続補正３２】
【補正対象書類名】明細書
【補正対象項目名】００３２
【補正方法】変更
【補正の内容】
【００３２】
また、請求項２８の発明は、請求項２５の発明において、前記パターン画像は、少なくとも１つの色から成ることを特徴とする。
【手続補正３３】
【補正対象書類名】明細書
【補正対象項目名】００３３
【補正方法】削除
【補正の内容】
【手続補正３４】
【補正対象書類名】明細書
【補正対象項目名】００３４
【補正方法】削除
【補正の内容】
【手続補正３５】
【補正対象書類名】明細書
【補正対象項目名】００３５
【補正方法】削除
【補正の内容】
【手続補正３６】
【補正対象書類名】明細書
【補正対象項目名】００３６
【補正方法】削除
【補正の内容】
【手続補正３７】
【補正対象書類名】明細書
【補正対象項目名】００３７
【補正方法】削除
【補正の内容】
【手続補正３８】
【補正対象書類名】明細書
【補正対象項目名】００３８
【補正方法】削除
【補正の内容】
【手続補正３９】
【補正対象書類名】明細書
【補正対象項目名】００３９
【補正方法】変更
【補正の内容】
【００３９】
請求項１の発明は、本構成を有しない場合に比較して、印刷不良の発生原因を容易に判断することが可能になる。
【手続補正４０】
【補正対象書類名】明細書
【補正対象項目名】００４０
【補正方法】変更
【補正の内容】
【００４０】
また、請求項２の発明は、本発明を有しない場合に比較して、印刷不良の発生原因となっている部品を容易に判断することが可能となる。
【手続補正４１】
【補正対象書類名】明細書
【補正対象項目名】００４１
【補正方法】変更
【補正の内容】
【００４１】
また、請求項３の発明は、本発明を有しない場合に比較して、印刷不良の発生原因となっているプロセス部品を容易に判断することが可能となる。
【手続補正４２】
【補正対象書類名】明細書
【補正対象項目名】００４２
【補正方法】変更
【補正の内容】
【００４２】
また、請求項４の発明は、本発明を有しない場合に比較して、各色の画像形成に属する部品に対する検査を行うことが可能となる。
【手続補正４３】
【補正対象書類名】明細書
【補正対象項目名】００４３
【補正方法】変更
【補正の内容】
【００４３】
また、請求項５の発明は、印刷不良の発生原因を容易に判断することが可能になる。
【手続補正４４】
【補正対象書類名】明細書
【補正対象項目名】００４４
【補正方法】変更
【補正の内容】
【００４４】
また、請求項６の発明は、本発明を有しない場合に比較して、印刷不良の発生原因となっている部品を容易に判断することが可能となる。
【手続補正４５】
【補正対象書類名】明細書
【補正対象項目名】００４５
【補正方法】変更
【補正の内容】
【００４５】
また、請求項７の発明は、本発明を有しない場合に比較して、印刷不良の発生原因となっているプロセス部品を容易に判断することが可能となる。
【手続補正４６】
【補正対象書類名】明細書
【補正対象項目名】００４６
【補正方法】変更
【補正の内容】
【００４６】
また、請求項８の発明は、本発明を有しない場合に比較して、各色の画像形成に属する部品に対する検査を行うことが可能となる。
【手続補正４７】
【補正対象書類名】明細書
【補正対象項目名】００４７
【補正方法】変更
【補正の内容】
【００４７】
また、請求項９の発明は、印刷不良の発生原因を容易に判断することが可能になる。
【手続補正４８】
【補正対象書類名】明細書
【補正対象項目名】００４８
【補正方法】変更
【補正の内容】
【００４８】
また、請求項１０の発明は、本発明を有しない場合に比較して、印刷不良の発生原因となっている部品を容易に判断することが可能となる。
【手続補正４９】
【補正対象書類名】明細書
【補正対象項目名】００４９
【補正方法】変更
【補正の内容】
【００４９】
また、請求項１１の発明は、本発明を有しない場合に比較して、印刷不良の発生原因となっているプロセス部品を容易に判断することが可能となる。
【手続補正５０】
【補正対象書類名】明細書
【補正対象項目名】００５０
【補正方法】変更
【補正の内容】
【００５０】
また、請求項１２の発明は、本発明を有しない場合に比較して、各色の画像形成に属する部品に対する検査を行うことが可能となる。
【手続補正５１】
【補正対象書類名】明細書
【補正対象項目名】００５１
【補正方法】変更
【補正の内容】
【００５１】
また、請求項１３の発明は、印刷不良の発生原因を容易に判断することが可能になる。
【手続補正５２】
【補正対象書類名】明細書
【補正対象項目名】００５２
【補正方法】変更
【補正の内容】
【００５２】
また、請求項１４の発明は、本発明を有しない場合に比較して、印刷不良の発生原因となっている部品を容易に判断することが可能となる。
【手続補正５３】
【補正対象書類名】明細書
【補正対象項目名】００５３
【補正方法】変更
【補正の内容】
【００５３】
また、請求項１５の発明は、本発明を有しない場合に比較して、印刷不良の発生原因となっているプロセス部品を容易に判断することが可能となる。
【手続補正５４】
【補正対象書類名】明細書
【補正対象項目名】００５４
【補正方法】変更
【補正の内容】
【００５４】
また、請求項１６の発明は、本発明を有しない場合に比較して、各色の画像形成に属する部品に対する検査を行うことが可能となる。
【手続補正５５】
【補正対象書類名】明細書
【補正対象項目名】００５５
【補正方法】変更
【補正の内容】
【００５５】
また、請求項１７の発明は、印刷不良の発生原因を容易に判断することが可能になる。
【手続補正５６】
【補正対象書類名】明細書
【補正対象項目名】００５６
【補正方法】変更
【補正の内容】
【００５６】
また、請求項１８の発明は、本発明を有しない場合に比較して、印刷不良の発生原因となっている部品を容易に判断することが可能となる。
【手続補正５７】
【補正対象書類名】明細書
【補正対象項目名】００５７
【補正方法】変更
【補正の内容】
【００５７】
また、請求項１９の発明は、本発明を有しない場合に比較して、印刷不良の発生原因となっているプロセス部品を容易に判断することが可能となる。
【手続補正５８】
【補正対象書類名】明細書
【補正対象項目名】００５８
【補正方法】変更
【補正の内容】
【００５８】
また、請求項２０の発明は、本発明を有しない場合に比較して、各色の画像形成に属する部品に対する検査を行うことが可能となる。
【手続補正５９】
【補正対象書類名】明細書
【補正対象項目名】００５９
【補正方法】変更
【補正の内容】
【００５９】
また、請求項２１の発明は、印刷不良の発生原因を容易に判断することが可能になる。
【手続補正６０】
【補正対象書類名】明細書
【補正対象項目名】００６０
【補正方法】変更
【補正の内容】
【００６０】
また、請求項２２の発明は、本発明を有しない場合に比較して、印刷不良の発生原因となっている部品を容易に判断することが可能となる。
【手続補正６１】
【補正対象書類名】明細書
【補正対象項目名】００６１
【補正方法】変更
【補正の内容】
【００６１】
また、請求項２３の発明は、本発明を有しない場合に比較して、印刷不良の発生原因となっているプロセス部品を容易に判断することが可能となる。
【手続補正６２】
【補正対象書類名】明細書
【補正対象項目名】００６２
【補正方法】変更
【補正の内容】
【００６２】
また、請求項２４の発明は、本発明を有しない場合に比較して、各色の画像形成に属する部品に対する検査を行うことが可能となる。
【手続補正６３】
【補正対象書類名】明細書
【補正対象項目名】００６３
【補正方法】変更
【補正の内容】
【００６３】
また、請求項２５の発明は、印刷不良の発生原因を容易に判断することが可能になる。
【手続補正６４】
【補正対象書類名】明細書
【補正対象項目名】００６４
【補正方法】変更
【補正の内容】
【００６４】
また、請求項２６の発明は、本発明を有しない場合に比較して、印刷不良の発生原因となっている部品を容易に判断することが可能となる。
【手続補正６５】
【補正対象書類名】明細書
【補正対象項目名】００６５
【補正方法】変更
【補正の内容】
【００６５】
また、請求項２７の発明は、本発明を有しない場合に比較して、印刷不良の発生原因となっているプロセス部品を容易に判断することが可能となる。
【手続補正６６】
【補正対象書類名】明細書
【補正対象項目名】００６６
【補正方法】変更
【補正の内容】
【００６６】
また、請求項２８の発明は、本発明を有しない場合に比較して、各色の画像形成に属する部品に対する検査を行うことが可能となる。
【手続補正６７】
【補正対象書類名】明細書
【補正対象項目名】００６７
【補正方法】削除
【補正の内容】
【手続補正６８】
【補正対象書類名】明細書
【補正対象項目名】００６８
【補正方法】削除
【補正の内容】
【手続補正６９】
【補正対象書類名】明細書
【補正対象項目名】００６９
【補正方法】削除
【補正の内容】
【手続補正７０】
【補正対象書類名】明細書
【補正対象項目名】００７０
【補正方法】削除
【補正の内容】
【手続補正７１】
【補正対象書類名】明細書
【補正対象項目名】００７１
【補正方法】削除
【補正の内容】
【手続補正７２】
【補正対象書類名】明細書
【補正対象項目名】００７２
【補正方法】削除
【補正の内容】
【手続補正７３】
【補正対象書類名】明細書
【補正対象項目名】００７３
【補正方法】変更
【補正の内容】
【００７３】
以下、本発明に係る画像形成装置、検査システムおよび検査プログラムの実施の形態について添付図面を参照して詳細に説明する。